(57)【要約】【課題】用紙の種類やサイズ等の用紙に関する情報を安価で容易に検出することができる技術を提供する。【解決手段】用紙Ｐの裏面には、用紙の種類やサイズ等の情報を示すためのバーコードが形成されている。そして、紙端検出センサー５７の発光素子６０から発光された光がミラー面６５により反射されて用紙Ｐの裏面に配設されたバーコードに照射され、バーコードで反射された光がさらにミラー面６５で反射されて受光素子６１により検出される。その後、検出されたバーコードの鏡像が復号されて用紙Ｐの用紙の種類やサイズ等が判断され、用紙Ｐの種類やサイズ等に対応した印刷設定が自動で設定される。【選択図】図３
2010221603.tif 000002
【特許請求の範囲】
【請求項１】
印刷ヘッドに用紙の紙幅を検出する紙幅検出器を備えたシリアル方式の印刷装置において、
前記用紙の裏面に種類、サイズ等の当該用紙に関する情報を示すために設けられたバーコードの鏡像を前記紙幅検出器に反射する反射手段と、
前記反射手段により反射され前記紙幅検出器により検出された前記バーコードの鏡像を復号して前記用紙に関する情報を判断する判断手段とを備えることを特徴とする印刷装置。
【請求項２】
前記印刷装置はインクジェット式であり、前記反射手段へのインクの付着を防止する防止手段をさらに備えることを特徴とする請求項１記載の印刷装置。
【請求項３】
前記防止手段は、前記反射手段を移動する移動手段をさらに備え、
前記移動手段は、少なくとも印刷時に前記反射手段が前記用紙の裏面と対向しないように前記反射手段を移動するものであることを特徴とする請求項２記載の印刷装置。
【請求項４】
前記移動手段は、前記反射手段を回転移動させて前記用紙の裏面に対する角度を変えるものであることを特徴とする請求項３記載の印刷装置。
【発明の詳細な説明】
【技術分野】
【０００１】
この発明は、搬送手段により搬送される用紙に画像を印刷する印刷装置に関するものである。
【背景技術】
【０００２】
従来の印刷装置では、印刷装置に配設されたバーコードリーダーにより用紙の裏面に形成された用紙の種類（光沢紙、コート紙、ハガキ、ＯＨＰシートなど）やサイズ等の用紙に関する情報を表すバーコードが読み取られて自動で用紙の種類やサイズ等が検出され、検出された用紙の種類やサイズ等に応じてそれぞれ適切な印刷の設定が行われている（特許文献１参照）。
【先行技術文献】
【特許文献】
【０００３】
【特許文献１】特開２０００−１００２号公報（段落００２７〜００３０、図２など）
【発明の概要】
【発明が解決しようとする課題】
【０００４】
ところで、用紙の表面には画像等が印刷されるので、バーコードは、印刷された画像等によりバーコードの読み取りが妨げられるのを避けるために用紙の裏面に形成されている。そして、バーコードリーダーは、印刷装置の印刷ヘッド付近の用紙の裏面側に配設されている。そのため、例えばインクジェットプリンターでは、印刷時に用紙の表面側に配設された印刷ヘッドから用紙に向けてインクが吐出されると、バーコードリーダーにインクが付着してバーコードの検出感度が低下したり故障するなどのおそれがある。また、バーコードリーダーは高価であるため、このような場合に頻繁に交換が行えないという問題もある。
【０００５】
この発明は、上記課題に鑑みなされたものであり、用紙の種類やサイズ等の用紙に関する情報を安価で容易に検出することができる技術を提供することを目的とする。
【課題を解決するための手段】
【０００６】
この発明にかかる印刷装置は、上記目的を達成するため、前記用紙の裏面に種類、サイズ等の当該用紙に関する情報を示すために設けられたバーコードの鏡像を前記紙幅検出器に反射する反射手段と、前記反射手段により反射され前記紙幅検出器により検出された前記バーコードの鏡像を復号して前記用紙に関する情報を判断する判断手段とを備えることを特徴としている。
【０００７】
このように構成された発明では、反射手段によりバーコードの鏡像を反射して紙幅検出器によりバーコードの鏡像を検出するので、高価なバーコードリーダーを備えることなく、用紙の裏面に形成されたバーコードを検出することができる。また、印刷装置に予め配設されている紙幅検出器を利用するので、装置構成を大きく変更しなくてもよい。したがって、安価で容易に用紙の裏面に形成されたバーコードの鏡像を検出して、用紙種類やサイズ等の用紙に関する情報を得ることが可能になる。
【０００８】
また、前記印刷装置はインクジェット式であり、前記反射手段へのインクの付着を防止する防止手段をさらに備えるようにしてもよい。こうすると、印刷時にインクが反射手段に付着するのを防止することができるので、反射手段により反射されたバーコードの鏡像を紙幅検出器により精度よく検出して、用紙の種類やサイズ等の用紙に関する情報を得ることが可能である。
【０００９】
また、前記防止手段は、前記反射手段を移動する移動手段をさらに備え、前記移動手段は、少なくとも印刷時に前記反射手段が前記用紙の裏面と対向しないように前記反射手段を移動するようにしてもよい。こうすると、反射手段はインクが吐出される用紙に対向しないので、反射手段にインクが付着することを防止することができる。したがって、反射手段により反射されたバーコードの鏡像を紙幅検出器により精度よく検出して、用紙に関する情報を得ることが可能である。
【００１０】
また、前記移動手段は、前記反射手段を回転移動させて前記用紙の裏面に対する角度を変えるものであるようにしてもよい。こうすると、バーコードの鏡像を検出するときに反射手段の角度を調整することができるので、バーコードの鏡像を紙幅検出器により精度よく検出して、用紙に関する情報を得ることが可能である。
【図面の簡単な説明】
【００１１】
【図１】本発明の一実施形態であるフォトプリンターを示す斜視図。
【図２】図１のフォトプリンターの制御系を示すブロック図。
【図３】用紙の裏面を示す概略構成図。
【図４】図１のフォトプリンターの部分概略構成図。
【図５】用紙情報の検出手順を示すフローチャート。
【図６】ミラーの動作を示す概略構成図。
【発明を実施するための形態】
【００１２】
図１は本発明の一実施形態であるフォトプリンターを示す斜視図である。また、図２は図１のフォトプリンターの制御系を示すブロック図である。また、図３は用紙の裏面を示す概略構成図である。また、図４は図１のフォトプリンターの部分概略構成図である。また、図５は用紙情報の検出手順を示すフローチャートである。また、図６はミラーの動作を示す概略構成図である。
【００１３】
１．装置構成
本発明の「印刷装置」としてのフォトプリンター１は、図１および図２に示すように、フォトプリンター１の内部にプリント機構５（図２参照）を内蔵し、プリント機構５は、フォトプリンター１の全体の制御を司るコントローラー１０（図２参照）からの動作指令に応じて用紙Ｐへの印刷を実行する。そして、印刷された用紙Ｐがフォトプリンター１の前面に排紙される。
【００１４】
このフォトプリンター１はシリアル方式で画像の印刷が行われるインクジェットプリンターであり、フォトプリンター１の前面には、図１に示すように、前面扉１１が開閉自在に取り付けられている。この前面扉１１はフォトプリンター１の前面を開閉するための蓋である。そして、開状態のときには、本発明における印刷手段であるプリント機構５から排紙される用紙Ｐを受けるための排紙トレイとして機能する。また、前面扉１１が開状態のとき、フォトプリンター１の前面に設けられた各種のメモリーカードスロット１３が利用可能な状態となる。つまり、この状態でユーザーは印刷対象となる画像ファイルを記憶したメモリーカードＭをメモリーカードスロット１３に差し込むことができる。なお、画像ファイルデータを記憶する外部媒体としてはメモリーカードに限定されず、ＵＳＢメモリーやディスク媒体など他のものであってもよい。
【００１５】
また、前面扉１１が開状態のときには、フォトプリンター１の全面に設けられたＩｒＤＡ通信部１５が利用可能となり、画像を記憶したデジタルカメラや携帯電話などの電子機器をフォトプリンター１に赤外線を利用した通信によって接続し、外部媒体として機能させることもできる。つまり、この状態でユーザーは携帯電話などの電子機器が備えているＩｒＤＡ通信方式により、電子機器からフォトプリンター１にファイル転送などの通信操作を行うことができる。
【００１６】
また、フォトプリンター１の上面には操作パネル２０が設けられる一方、フォトプリンター１の上面の奥の一辺に対してカバー２１が開閉自在に取り付けられている。このカバー２１は、フォトプリンター１の上面を覆うことのできる大きさに成形された樹脂板であり、開状態では操作パネル２０の表面を外部に露出する（図１参照）。一方、カバー２１が閉状態に閉じられると、操作パネル２０全体を覆う。
【００１７】
この操作パネル２０には、文字や図形、記号などを表示する例えばＬＣＤディスプレイにより構成された表示部２２と、この表示部２２の周囲に配置されたボタン群２３とを備えている。ボタン群２３は、電源のオンオフを行うための電源ボタン、メインメニュー画面を呼び出すためのメニューボタン、操作を途中でキャンセルしたり用紙Ｐへの印刷を途中で中断したりするためのキャンセルボタン、用紙Ｐへの印刷実行を指示するための印刷ボタン、メモリーカードスロット１３に挿入されたメモリーカードＭに編集画像などを保存するための保存ボタン、表示部２２に表示された複数の選択肢の中から所望の選択肢を選択したりカーソルを移動したりするときに操作される上下左右の各矢印ボタン、この上下左右の各矢印ボタンの中央に配置され各矢印ボタンによって選択されている選択肢に決定したことを指示するためのＯＫボタン、表示部２２での画面表示を切り替えるための表示切替ボタン、表示部２２に表示される左ガイドを選択する左ガイド選択ボタン、表示部２２に表示される右ガイドを選択する右ガイド選択ボタン、排紙トレイとしての機能を備えた前面扉１１を開く排紙トレイオープンボタンなどで構成されている。
【００１８】
また、表示部２２の表示内容を確認するために、カバー２１には表示部２２と同じ大きさの窓２４が設けられている。つまり、カバー２１が閉状態にあるときにはユーザーはこの窓２４を介して表示部２２の表示内容を確認することができる。一方、カバー２１は開状態のときには、表示部２２を図１に示すように好みの角度に調整することが可能となっている。
【００１９】
このようにカバー２１を開状態としたときには、操作パネル２０に対して斜め後方に傾斜した状態でカバー２１は保持され、用紙Ｐをプリント機構５へ供給するためのトレイとして利用可能となっている。また、操作パネル２０の奥には、プリント機構５の給紙口５８が設けられるとともに、ガイド幅が用紙の幅に合うように左右方向にスライド操作される一対の用紙ガイド５９が設けられている。
【００２０】
そして、給紙口５８を介して用紙Ｐがプリント機構５に送り込まれる。プリント機構５には、図２および図３に示すように、紙送りモーター３４、給紙ローラー（図示せず）、ローディングローラー３５、搬送ローラー５６などからなる搬送機構が形成されている。そして、印刷コントローラー２８からの制御ステップに基づいてローラー駆動回路３３により紙送りモーター３４が駆動される。紙送りモーター３４は、ローラー駆動回路３３から指令された駆動量に応じて回転駆動され、この駆動力により、給紙ローラー、ローディングローラー３５、搬送ローラー５６が所定の回転量で回転されて、用紙Ｐが所定の送り量で搬送される。
【００２１】
また、プリント機構５には、図２に示すように、キャリッジ５３が左右方向にループ状に架け渡されたタイミングベルト５１により駆動されガイド５２に沿って左右に往復動する。このキャリッジ５３には、紙端検出センサー５７が設けられている。紙端検出センサー５７は、図３に示すように、発光ダイオードなどにより構成される発光素子６０と、フォトトランジスターなどの受光センサーにより構成される受光素子６１を備えている。そして、発光素子６０から発光された光が用紙Ｐで反射され、その反射光が受光素子６１で受光されて、後に説明するＣＰＵ２５により電気信号に変換される。そして、変換された電気信号の大きさから、用紙Ｐの左右端や上下端において用紙Ｐの紙有り、紙無しを検出して用紙幅の認識を可能にしたり、用紙の前後端において用紙Ｐの紙有り、紙無しを検出して用紙長さの認識を可能にしたりする。なお、紙端検出センサー５７が本発明における紙幅検出器に相当する。
【００２２】
また、キャリッジ５３には、シアン・マゼンタ・イエロー・ブラックなどの各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒーターなど）に電圧をかけインクを加熱して発生した気泡によりインクを加圧する方式を採用してもよい。こうして印刷された用紙Ｐは搬送ローラー５６によって開状態の前面扉（排紙トレイ）１１へ送り出される。
【００２３】
また、図３に示すように、用紙Ｐの裏面側の紙端検出センサー５７に対向する位置には反射機構６３が配設され、反射機構６３を挟んで用紙Ｐの排出方向の上流側および下流側には用紙Ｐの搬送をガイドするプラテン６４ａ、６４ｂが配設されている。同図に示すように、反射機構６３は、側面から見たときにほぼ正三角形の形状を有する三角柱の形状をしており、正三角形の各面にはミラー面６５、保護面６６、６７がそれぞれ形成されている。そして、紙端検出センサー５７の発光素子６０から発光された光は、ミラー面６５により反射されて、後に詳述する用紙Ｐの裏面６９に配設されたバーコード７０に照射され、バーコード７０で反射された光がさらにミラー面６５で反射されて受光素子６１により検出される。
【００２４】
また、反射機構６３の三角柱の中心軸として軸６８が配設され、軸６８は紙送りモーター３４の駆動に連動して回転移動される構成となっている。したがって、紙送りモーター３４の駆動により反射機構６３が回転されて、バーコード７０の検出時にミラー面６５の角度が調整されたり、印刷時にミラー面６５が用紙Ｐの裏面６９と対向しないように回転移動されて保護面６６、６７およびプラテン６４ａ、６４ｂによりミラー面６５へのインクの付着が防止される。なお、ミラー面６５が本発明における反射手段、保護面６６、６７、プラテン６４ａ、６４ｂが本発明における防止手段、紙送りモーター３４および軸６８が本発明における移動手段に相当する。
【００２５】
また、図示を省略しているものの、フォトプリンター１の背面にはバッテリーパックを装着可能となっており、商用電源に接続しなくともフォトプリンター１をバッテリーにより動作させることが可能となっている。この点およびフォトプリンター１がホストコンピューターに接続しなくても使用することができるスタンドアロンプリンターとなっている点により、フォトプリンター１は持ち運び容易でどこでも使用できるようになっている。
【００２６】
また、図２に示すように、コントローラー１０は、ＵＳＢインターフェースやパラレルインターフェースなどにより構成されたインターフェース２０を介してホストコンピューターＰＣと通信可能に接続されるように構成されている。また、インターフェース２０に接続されたコントローラー１０のシステムバス２１には、ＣＰＵ２５、ＲＯＭ２６、ＲＡＭ２７、印刷コントローラー２８、不揮発性メモリー２９などが接続されている。また、コントローラー１０は、上記したように受光素子６１で受光された光を電気信号に変換したり、プリント機構５の印刷ヘッド５５への制御信号や操作パネル２０の表示部２２への制御信号を出力する構成となっている。
【００２７】
ＣＰＵ２５では、プリント機構５の動作制御を実行するための演算処理などが行われる。また、ＣＰＵ２５は、ＲＯＭ２６に記憶されたプログラムを実行することで印刷コントローラー２８に対し印刷制御において必要な指令などを出力するように構成されている。ＲＯＭ２６には、ＣＰＵ２５の制御に必要なプログラム（ファームウェア）などが記憶され、ＲＡＭ２７には一時的に外部から入力された印刷データなどのデータが記憶される。さらに、不揮発性メモリー２９にはＣＰＵ２５の制御に必要な各種データなどが格納される。
【００２８】
なお、本実施形態では、ＣＰＵ２５は、紙端検出センサー５７に配設された受光素子６１により検出されたバーコード７０のデータを復号するバーコード復号部２５ａと、復号されたバーコード７０のデータから用紙Ｐの種類やサイズ等を判断する判断部２５ｂとを備えている。また、不揮発性メモリー２９には、用紙Ｐの種類やサイズ等の用紙に関する情報を記憶する記憶部２９ａが配設されている。そして、判断部２５ｂによって、バーコード復号部２５ａで復号されたデータと記憶部２９ａに記憶された用紙Ｐに関する情報から用紙Ｐの種類やサイズ等が判断され、ＣＰＵ２５によって、印刷コントローラー２８に対して用紙Ｐの種類やサイズ等に対応した印刷設定が自動で設定され、用紙Ｐに所定の画像が印刷される。したがって、バーコード復号部２５ａおよび判断部２５ｂが本発明における判断手段に相当する。
【００２９】
また、図４に示すように、バーコード７０として、用紙Ｐの裏面６９の四隅にはバーコード７０ａ、７０ｂ、７０ｃ、７０ｄが形成されている。同図に示すように、バーコード７０ａ、７０ｃは用紙の長手方向（図４におけるＹ方向）に沿って互いに逆向きに形成され、バーコード７０ｂ、７０ｄは用紙Ｐの長手方向と垂直方向（図４におけるＸ方向）に沿って互いに逆向きに形成されている。また、バーコード７０ａ、７０ｂ、７０ｃ、７０ｄには、光沢紙、コート紙、ハガキ、ＯＨＰシートなどの用紙Ｐの種類やサイズに関する同一の情報がそれぞれ記録されている。このように形成方向が異なる複数のバーコードを同一面の四隅に備えることで、用紙Ｐのどの辺から給紙してもバーコード７０ａ、７０ｂ、７０ｃ、７０ｄの少なくとも１つが読み取り可能となるように形成されている。なお、用紙Ｐの表面には印刷を行うため、バーコード７０ａ、７０ｂ、７０ｃ、７０ｄは形成されていない。
【００３０】
２．用紙情報の検出手順
図５に用紙情報の検出手順を示すフローチャートを示す。はじめに、フォトプリンター１のプリント機構５の給紙口５８に、図４に示した用紙Ｐの先頭Ｑ側から用紙Ｐが給紙され（ステップＳ１０）、紙端検出センサー５７により用紙Ｐの先頭Ｑが検出されるまでローディングローラー３５および搬送ローラー５６により用紙Ｐが紙送りされる。そして、用紙Ｐの先頭Ｑが検出されると、用紙Ｐの裏面６９に形成されたバーコード７０ｂが図６（ａ）に示したバーコード読み取り位置Ｒに配置されるように、さらに所定の距離だけ用紙Ｐが搬送されて用紙Ｐの位置が調整される（ステップＳ１１）。
【００３１】
次に、紙送りモーター３４の駆動により反射機構６３が回転移動され、ミラー面６５の角度が調整される。ミラー面６５の角度は、予めバーコード７０を読み取るのに最適な角度が記憶部２９ａに記憶されており、ＣＰＵ２５によって該角度が読み出されてミラー面６５の角度が調整される（ステップＳ１２）。
【００３２】
そして、図６（ａ）に示すように、印刷ヘッド５５に搭載された紙端検出センサー５７により、紙端検出センサー５７の発光素子６０からバーコード７０ｂに向けて光が発光される。発光された光はミラー面６５で反射され用紙Ｐの裏面６９に配設されたバーコード７０ｂに照射され、バーコード７０ｂで反射された光がさらにミラー面６５で反射されて受光素子６１により検出される。また、紙端検出センサー５７は上記した動作を行いながら左右に移動され、所定範囲に形成されたバーコード７０ｂのスキャンが行われる（ステップＳ１３）。このとき、バーコード７０ｂのスキャンが精度よく行われず、バーコード７０ｂの鏡像が精度よく検出されなければ（ステップＳ１４）、紙送りモーターの駆動が制御されてミラー面６５の角度が調整され（ステップＳ１２）、再度バーコード７０ｂのスキャンが行われる（ステップＳ１３）。
【００３３】
そして、バーコード７０ｂの鏡像が検出されると（ステップＳ１４）、検出されたバーコード７０ｂの鏡像はバーコード復号部２５ａによって復号される。また、判断部２５ｂにより、バーコード復号部２５ａで復号されたバーコード７０ｂのデータと予め記憶部２９ａに記憶された用紙Ｐに関する情報から、用紙Ｐの種類やサイズ等が判断される（ステップＳ１５）。そして、ＣＰＵ２５によって、印刷コントローラー２８に対して用紙Ｐの種類やサイズ等に対応した印刷設定が行われる（ステップＳ１６）。
【００３４】
その後、図６（ｂ）に示すように、反射機構６３の保護面６７が用紙Ｐの裏面６９に対向するように、紙送りモーター３４が駆動されて反射機構６３が回転移動される（ステップＳ１７）。したがって、保護面６７とプラテン６４ａ、６４ｂに保護されて、印刷時にインクがミラー面６５に付着することが防止される。そして、用紙Ｐにインクが吐出されて所定の画像等が印刷され（ステップＳ１８）、用紙Ｐが排紙口１１に排紙されて（ステップＳ１９）、印刷動作が終了となる。なお、反射機構６３は、保護面６６が用紙Ｐの裏面６９に対向するように回転移動されてもよい。
【００３５】
以上のように、この実施形態では、ミラー面６５によりバーコード７０の鏡像を反射して紙端検出センサー５７によりバーコード７０の鏡像を検出するので、高価なバーコードリーダーを備えることなく、用紙Ｐの裏面６９に形成されたバーコード７０を検出することができる。また、フォトプリンター１に予め配設されている紙端検出センサー５７を利用するので、フォトプリンター１の装置構成を大きく変更しなくてもよい。したがって、安価で容易に用紙Ｐの裏面６９に形成されたバーコード７０の鏡像を検出して、用紙Ｐの種類やサイズ等の用紙Ｐに関する情報を得ることが可能になる。
【００３６】
また、このように構成された発明では、印刷時にインクがミラー面６５に付着するのを防止することができるので、ミラー面６５により反射されたバーコード７０の鏡像を紙端検出センサー５７により精度よく検出して、用紙Ｐの種類やサイズ等の用紙Ｐに関する情報を得ることが可能である。
【００３７】
さらに、反射機構６３は、紙送りモーター３４、軸６８により少なくとも印刷時に回転移動されるので、ミラー面６５はインクが吐出される用紙Ｐの裏面６９に対向せず、ミラー面６５にインクが付着するのを防止することができる。したがって、ミラー面６５により反射されたバーコード７０の鏡像を紙端検出センサー５７により精度よく検出して、用紙Ｐの種類やサイズ等の用紙Ｐに関する情報を得ることが可能である。
【００３８】
また、紙送りモーター３４および軸６８は、ミラー面６５を回転移動させて用紙Ｐの裏面６９に対する角度を変えるため、バーコード７０の鏡像を検出するときにミラー面６５の角度を調整することができ、バーコード７０の鏡像を紙端検出センサー５７により精度よく検出して、用紙Ｐの種類やサイズ等の用紙Ｐに関する情報を得ることが可能である。
【００３９】
なお、本発明は上記した実施形態に限定されるものではなく、その趣旨を逸脱しない限りにおいて上述したもの以外に種々の変更を行うことが可能である。例えば、本発明にかかる印刷装置は、フォトプリンター１に限らず、ＦＡＸやスキャナーなどを備えた複合機としての印刷装置であってもよい。また、インクジェット式の印刷装置に限らずその他の方式の印刷装置であってもよい。
【００４０】
また、上記した実施形態では、反射機構６３にミラー面６５と保護面６６、６７とを配置して、反射機構６３を回転移動してミラー面６５にインクが付着するのを防止しているが、例えばミラー面と保護面を別々の機構に配置して、保護面によりミラー面を覆う構成によりミラー面にインクが付着するのを防止してもよい。
【符号の説明】
【００４１】
１…フォトプリンター（印刷装置）、  ２５ａ…バーコード復号部（判断手段）、  ２５ｂ…判断部（判断手段）、３４…紙送りモーター（移動手段）、  ５５…印刷ヘッド、  ５７…紙端検出センサー（紙幅検出器）、６４ａ、６４ｂ…プラテン（防止手段）、  ６５…ミラー面（反射手段）、  ６６、６７…保護面（防止手段）、  ６８…軸（移動手段）、  ７０ａ、７０ｂ、７０ｃ、７０ｄ…バーコード
【図１】
2010221603.tif 000003
【図２】
2010221603.tif 000004
【図３】
2010221603.tif 000005
【図４】
2010221603.tif 000006
【図５】
2010221603.tif 000007
【図６】
2010221603.tif 000008